(57)【要約】      （修正有）【課題】ＬＥＤランプ及びその薄型変圧器を提供する。【解決手段】ＬＥＤランプ及びその薄型変圧器１であって、ＬＥＤランプが中空管体と、中空管体内に設置される回路板と、回路板二側にそれぞれ設置される複数のＬＥＤと、薄型変圧器とを含み、薄型変圧器は、鉄芯２０と、鉄芯２０に被せ設けられる第１巻線組３０及び第２巻線組４０とを含み、且つ、第１巻線組３０及び第２巻線組４０は、相互に被せ設けられ、これにより薄型の変圧器を完成し、ＬＥＤランプの照射角度を増加し、照射範囲を拡大する。【選択図】図１
0003184697.tif 000002
【実用新案登録請求の範囲】
【請求項１】
芯柱及び該芯柱外周に位置する周囲溝を含む鉄芯と、
複数の環状に巻かれた第１コイルを含み、該芯柱の外周りに被せ設けられて収容溝中に収容設置される第１巻線組と、
複数の環状に巻かれた第２コイルを含む第２巻線組と、
を含み、該第２巻線組及び該第１巻線組は、相互に被せられ、該収容溝中に収容されることを特徴とする薄型変圧器。
【請求項２】
ベースを更に含み、該ベースは、枠板と、該枠板の相対する二側辺に間隔をおいて設置される複数のガイドピンと、を含み、該枠板は、鏤空溝及び該鏤空溝中に凸伸する少なくとも１つの支持ブラケットを有し、該鉄芯は、該支持ブラケットに対応して、少なくとも１つの定位溝を設置し、該鉄芯は、該定位溝及び該支持ブラケットの相互の定位を介して該鏤空溝中に設置されることを特徴とする請求項１に記載の薄型変圧器。
【請求項３】
前記ベースは、該鏤空溝周縁に凸伸する囲い板を更に含み、該囲い板は、該鉄芯の外側を囲うことを特徴とする請求項２に記載の薄型変圧器。
【請求項４】
該囲い板は、少なくとも１つの出線溝を開設することを特徴とする請求項３に記載の薄型変圧器。
【請求項５】
該ベースは、更に複数の凸ブロックを含み、該凸ブロックは、それぞれ該ベースの相対する両側片に設置されることを特徴とする請求項２に記載の薄型変圧器。
【請求項６】
前記ベースの一側辺は、複数の凸ブロックであり、該ベースは、該凸ブロックの間に貫通溝を設ける請求項５に記載の薄型変圧器。
【請求項７】
前記ベースは、相対する上面、底面及び相対する両側面を有し、該ガイドピンは、それぞれ該両側面を貫通し、該ベースの底面方向へ湾折し、該凸ブロックは、該上面に成型され、該ガイドピンに近隣することを特徴とする請求項５に記載の薄型変圧器。
【請求項８】
前記ベースの一側辺の該ガイドピンが第１ガイドピンであり、該ベースの他側片の該ガイドピンが第２ガイドピンであり、該第１コイル及び該第２コイルの一端がそれぞれ該第１ガイドピンのうちの１つに電気接続し、該第１コイル及び該第２コイルの他端がそれぞれ該第２ガイドピンのうちの１つに電気接続することを特徴とする請求項７に記載の薄型変圧器。
【請求項９】
前記支持ブラケットの底面は、該ベースの底面と平坦であることを特徴とする請求項７に記載の薄型変圧器。
【請求項１０】
前記鉄芯は、対応設置される第１鉄芯及び第２鉄芯から構成され、該芯柱は、対応設置される第１芯柱及び第２芯柱から構成され、該収容溝は、対応設置される第１収容溝及び第２収容溝から構成されることを特徴とする請求項１に記載の薄型変圧器。
【請求項１１】
前記第１巻線組及び該第２巻線組は、該第１鉄芯及び該第２鉄芯の間に相互に絶縁して収容設置されることを特徴とする請求項１０に記載の薄型変圧器。
【請求項１２】
中空管体と、
該中空管体内に固定され、相対する第１表面及び第２表面を有する回路板と、
該第１表面に設置され、該回路板に電気接続する複数のＬＥＤと、
該第２表面に設置され、該回路板に電気接続する薄型変圧器と、
芯柱及び該芯柱外周に位置する収容溝を含む鉄芯と、
複数の環状に巻かれた第１コイルを含み、該芯柱の外周に被せ設けられ、該収容溝中に収容設置される第１巻線組と、
複数の環状に巻かれた第２コイルを含む第２巻線組と、
を含み、該第２巻線組及び該第１巻線組が相互に被せ設けられ、該収容溝中に収容設置されることを特徴とするＬＥＤランプ。
【請求項１３】
ベースを更に含み、該ベースは、枠板と、該枠板の相対する二側辺に間隔をおいて設置される複数のガイドピンと、を含み、該枠板は、鏤空溝及び該鏤空溝中に凸伸する少なくとも１つの支持ブラケットを有し、該鉄芯は、該支持ブラケットに対応して、少なくとも１つの定位溝を設置し、該鉄芯は、該定位溝及び該支持ブラケットの相互の定位を介して該鏤空溝中に設置されることを特徴とする請求項１２に記載のＬＥＤランプ。
【請求項１４】
前記ベースは、該鏤空溝周縁に凸伸する囲い板を更に含み、該囲い板は、該鉄芯の外側を囲うことを特徴とする請求項１３に記載のＬＥＤランプ。
【請求項１５】
該囲い板は、少なくとも１つの出線溝を開設することを特徴とする請求項１４に記載のＬＥＤランプ。
【請求項１６】
該ベースは、更に複数の凸ブロックを含み、該凸ブロックは、それぞれ該ベースの相対する両側片に設置されることを特徴とする請求項１３に記載のＬＥＤランプ。
【請求項１７】
前記ベースの一側辺は、複数の凸ブロックであり、該ベースは、該凸ブロックの間に貫通溝を設けることを特徴とする請求項１６に記載のＬＥＤランプ。
【請求項１８】
前記ベースは、相対する上面、底面及び相対する両側面を有し、該ガイドピンは、それぞれ該両側面を貫通し、該ベースの底面方向へ湾折し、該凸ブロックは、該上面に成型され、該ガイドピンに近隣する請求項１６に記載のＬＥＤランプ。
【請求項１９】
前記ベースの一側辺の該ガイドピンが第１ガイドピンであり、該ベースの他側片の該ガイドピンが第２ガイドピンであり、該第１コイル及び該第２コイルの一端がそれぞれ該第１ガイドピンのうちの１つに電気接続し、該第１コイル及び該第２コイルの他端がそれぞれ該第２ガイドピンのうちの１つに電気接続することを特徴とする請求項１８に記載のＬＥＤランプ。
【請求項２０】
前記回路板は、開孔を設け、該支持ブラケットの底面は、該ベースの底面より低く、該開孔中に埋め込まれることを特徴とする請求項１８に記載のＬＥＤランプ。
【請求項２１】
前記鉄芯は、対応設置される第１鉄芯及び第２鉄芯から構成され、該芯柱は、対応設置される第１芯柱及び第２芯柱から構成され、該収容溝は、対応設置される第１収容溝及び第２収容溝から構成されることを特徴とする請求項１２に記載のＬＥＤランプ。
【請求項２２】
前記第１巻線組及び該第２巻線組は、該第１鉄芯及び該第２鉄芯の間に相互に絶縁して収容設置されることを特徴とする請求項２１に記載のＬＥＤランプ。
【考案の詳細な説明】
【技術分野】
【０００１】
本考案は、変圧器に関し、特に、ＬＥＤランプ及びその薄型変圧器に関する。
【背景技術】
【０００２】
発光ダイオード（Light Emitting Diode, LED）は、低消費エネルギーで、省電で、使用寿命が長く、体積が小さく、反応が速い等の優れた特性を有するので、現在、各式灯具に広く応用されている。例えば、現在のＬＥＤランプは、従来の蛍光灯に取って代わり、生活中の照明となっている。
【０００３】
現在ＬＥＤランプの構造は、中空管、中空管内に設置される回路板、変圧器及び複数のＬＥＤを含み、そのうち、変圧器及び複数のＬＥＤは、回路板に電気接続し、回路板上に設置される。ＬＥＤランプの駆動方式は、変圧器によりＬＥＤを駆動し、ＬＥＤを発光させる。
【０００４】
前記ＬＥＤランプ構造において、回路板は、中空管内に挿入設置され、変圧器及び該ＬＥＤは、回路板の相対する両側面に設置される。中空管の内部空間は、有限であり、且つ変圧器は、一定の高さを有するので、回路板は、中空管内の固定位置に変圧器の高さの制限を受ける。これによっても、該ＬＥＤの中空管内の位置は制限を受け、ＬＥＤランプの発光角度が不足し、照明範囲に影響を及ぼす。
【０００５】
この為、如何に薄型化された変圧器を提供し、ＬＥＤランプの照射角度及び範囲を増加するが、本考案者の研究動機である。
【先行技術文献】
【特許文献】
【０００６】
【特許文献１】特開２０１３−３３４３４号公報
【特許文献２】特開２００５−３３４３４号公報
【考案の概要】
【考案が解決しようとする課題】
【０００７】
本考案の目的は、薄型変圧器を提供し、全体の高さを低減する目的を達成することにある。
【課題を解決するための手段】
【０００８】
前記目的を達成する為、本考案の薄型変圧器は、鉄芯、第１巻線組及び第２巻線組を含む。鉄芯は、芯柱及び芯柱外周に位置する周囲溝を含む。第１巻線組は、複数の環状に巻かれた第１コイルを含み、第１巻線組は、芯柱の外周りに被せ設けられて収容溝中に収容設置される。第２巻線組は、複数の環状に巻かれた第２コイルを含み、第２巻線組及び第１巻線組は、相互に被せられ、収容溝中に収容される。
【０００９】
本考案のもう１つの目的は、ＬＥＤランプを提供し、ＬＥＤランプの照射角度を増加し、照射範囲を拡大する。
【００１０】
上記目的を達成する為、本考案のＬＥＤランプは、中空管体、回路板、複数のＬＥＤ及び薄型変圧器を含む。回路板は、中空管体内に固定され、回路板は、相対する第１表面及び第２表面を有する。複数のＬＥＤは、第１表面に設置され、回路板に電気接続する。薄型変圧器は、第２表面に設置され、回路板に電気接続し、鉄芯、第１巻線組及び第２巻線組を含む。鉄芯は、芯柱及び芯柱外周に位置する収容溝を含む。第１巻線組は、複数の環状に巻かれた第１コイルを含み、第１巻線組は、芯柱の外周りに被せ設けられて収容溝中に収容設置される。第２巻線組は、複数の環状に巻かれた第２コイルを含み、第２巻線組及び第１巻線組は、相互に被せられ、収容溝中に収容される。
【００１１】
本考案のまたもう１つの目的は、ベースを含むことができ、ベースに鉄芯を定位する少なくとも１つの支持ブラケットを設け、ベースの支持ブラケットにより回路板の開孔中に埋め込む回路板に結合する薄型変圧器を提供し、薄型変圧器及び回路板の結合後の全体の高さを低減することにある。
【考案の効果】
【００１２】
従来技術に比較し、本考案の薄型変圧器は、現有の変圧器中の巻線構造を省き、その第１巻線組及び第２巻線組は、直接、鉄芯上に被せ設けられ、相互に被せられ、全体の高さを低減する。また、本考案の薄型変圧器は、ＬＥＤランプ内に応用する時、薄型変圧器が比較的小さい内部空間を占用するので、回路板の位置は、比較的高い箇所に相対設置され、ＬＥＤの照射角度を増加し、ＬＥＤランプに比較的大きな照射範囲をもたせる。また、本考案の薄型変圧器が回路板に直接設置され、ベースを有する時、そのベースの支持ブラケットは、回路板の開孔中に埋め込むことができ、薄型変圧器及び回路板の結合後の全体の高さを低減する。
【図面の簡単な説明】
【００１３】
【図１】本考案の薄型変圧器の立体分解図である。
【図２】本考案の薄型変圧器の立体外観説明図である。
【図３】本考案の薄型変圧器のもう１つの立体外観説明図である。
【図４】本考案の薄型変圧器の組み合わせ断面図である。
【図５】本考案の薄型変圧器のもう１つの巻線形態図である。
【図６】本考案のＬＥＤランプの組み合わせ断面図である。
【図７】本考案の薄型変圧器のもう１つの実施例図である。
【図８】本考案の薄型変圧器のもう１つの実施形態図である。
【考案を実施するための形態】
【００１４】
本考案の詳細及び技術内容について、図面に合わせ、以下に説明するが、図面は、参考及び説明用に提供するだけであり、本考案に制限を加えるものではない。
【００１５】
図１〜図３を参照して説明するが、それは、それぞれ本考案のＬＥＤランプ及びその薄型変圧器の立体分解図及び二側方向の立体外観説明図である。本考案の薄型変圧器１は、鉄芯２０、第１巻線組３０及び第２巻線組４０を含む。該第１巻線組３０及び該第２巻線組４０は、該鉄芯２０上に覆い被せられる。
【００１６】
該鉄芯２０は、芯柱２１及び該芯柱２１外周に位置する収容溝２２を含む。
【００１７】
第１巻線組３０は、複数の環状に巻かれる第１コイル３１を含む。該第１巻線組３０は、芯柱２１の外周に被せ設けられ、該収容溝２２中に収容される。また、第２巻線組４０は、複数の環状に巻かれる第２コイル４１を含む。該第２巻線組４０及び該第１巻線組３０は、相互に被さって該収容溝２２中に収容設置される。
【００１８】
好ましくは、該鉄芯２０は、対応設置される第１鉄芯２０１及び第２鉄芯２０２から構成される。また、該芯柱２１は、対応設置される第１芯柱２１１及び第２芯柱２１２から構成される。該収容溝２２は、対応設置される第１収容溝２２１及び第２収容溝２２２から構成される。本実施例において、該鉄芯２０は、ＲＭ型鉄芯であるが、これに限定するものではない。実際の実施時、該鉄芯２０は、Ｉ型等のその他の形式の鉄芯を設置することもできる。
【００１９】
実際の実施時、該第１コイル３１及び該第２コイル４１は、絶縁銅線であることができ、相互に被せ設けられる時の該第２巻線組４０及び該第１巻線組３０の間の絶縁性を提供する。または、該第１コイル３１及び該第２コイル４１は、導線であることができ、該第２巻線組４０及び該第１巻線組３０の間に絶縁材料を設置することもでき、相互の被せ設けられる時の絶縁性を提供する。
【００２０】
本考案の実施例において、薄型変圧器１は、ベース１０を更に含む。該ベース１０は、絶縁ソケット体である。該ベース１０は、枠板１１及び該枠板１１の相対する二側辺に間隔をおいて設置される複数のガイドピン１２を含み、該枠板１１は、鏤空溝１１０及び該鏤空溝１１０中に凸伸する少なくとも１つの支持ブラケット１１１を有する。また、該鉄芯２０は、１対の該支持ブラケット１１１に対応して少なくとも１つの定位溝２３を設置する。該鉄芯２０は、該対定位溝２３及び該支持ブラケット１１１の相互の定位を介して、該鏤空溝１１０中に設置される。
【００２１】
好ましくは、該枠板１１は、一対の支持ブラケット１１１に設置され、該鉄芯２０は、該対支持ブラケット１１１に対応して一対の定位溝２３を設置する。
【００２２】
また、該ベース１０は、更に、該鏤空溝１１０周縁に凸状に延伸する囲い板１１２を含み、該囲い板１１２は、該鉄芯２０の外側を囲う。また、該囲い板１１２は、少なくとも１つの出線溝１１３を開設し、該第１巻線組３０及び該第２巻線組４０の出線の用途を提供する。
【００２３】
説明すべき点として、該ベース１０の一側辺に位置する該ガイドピン１２は、第１ガイドピン１２１であり、該ベース１０の他側片に位置する該ガイドピン１２は、第２ガイドピン１２２である。該第１巻線組３０及び該第２巻線組４０の一端にそれぞれ該第１ガイドピン１２１のうちの１つを電気接続し、該第１コイル３１及び該第２コイル４１の他端にそれぞれ該第２ガイドピン１２２のうちの１つを電気接続する。
【００２４】
また、前記ベース１０は、複数の凸ブロック１３を更に含み、該凸ブロック１３は、該ベース１１の相対する二側辺にそれぞれ設置される。本実施例において、該ベース１０の一側辺は、複数の凸ブロック１３であり、該ベース１０は、該凸ブロック１３の間に貫通溝１３０を設ける。該第１巻線組３０又は該第２巻線組４０のリード線は、該貫通溝１３０を経由して該ブロック１３上を跨ぎ、安全規定設計に適合することもできる。
【００２５】
実際の実施時、該ベース１０は、複数の凹溝を設置し、該凸ブロック１３の代替えとすることができる（図示せず）。該凹溝の設置効果は、該凸ブロック１３と同じであり、該凸ブロック１３（凹溝）は、該第１コイル３１及び該第２コイル４１にブリッジ（貫通設置）の用途を提供することができ、該第１コイル３１及び該第２コイル４１を確実に分け隔て、それぞれ該第２ガイドピン１２２に接続する。
【００２６】
本実施例において、該ベース１０は、相対する上面１０１、底面１０２、及び相対する両側面１０３を有する。該ガイドピン１２は、それぞれ該両側面１０３を貫通し、該ベース１０の底面１０２方向へ湾折する。また、該凸ブロック１３は、該上面１０１に成型され、該ガイドピン１２に近隣する。但し、実際の実施時、該ガイドピン１２は、その他の方式でベース１０に接続することができ、且つ該ガイドピン１２の貫通位置も制限せず、該ガイドピン１２は、底面１０２から直接貫通することもできる。
【００２７】
図４を参照して説明するが、本考案の薄型変圧器１の組み合わせ断面図である。図から分かるように、該第１巻線組３０及び該第２巻線組４０は、相互に絶縁して該第１鉄芯２０１及び該第２鉄芯２０２の間に収容される。また、該第２巻線組４０の巻き付け直径は、該第１巻線組３０の巻き付け直径より大きい。従って、該第２巻線組４０は、該第１巻線組３０に被せ設けられ該芯柱２１外に相互に被せ合わせられる。
【００２８】
図５を参照して説明するが、それは、本考案の薄型変圧器のもう１つの巻線形態である。この実施例の前実施例と異なる箇所は、第１巻線組３０’及び該に巻線組４０’の巻線形態にある。図５において、第１巻線組３０’及び第２巻線組４０’の外縁面は、斜面を呈する。但し、実際の実施時、該第１巻線組３０’及び第２巻線組４０’の巻線形態は、制限せず、その断面は、不規則に形成することができる。第１巻線組３０’及び第２巻線組４０’の巻線形態は、相互に被せ設けられ、該収容溝２２中に設置されるものであればよい。
【００２９】
図６を参照して説明するが、それは、本考案のＬＥＤランプの組み合わせ断面図である。本実施例は、更にＬＥＤランプ２を提供し、該ＬＥＤランプ２は、該ＬＥＤランプ２の所要電源を提供する薄型変圧器１、中空管体５０、回路板６０及び複数のＬＥＤ７０を含む。該薄型変圧器１の構造は、既に詳細に述べているので、ここでは、再度記載しない。ここでは、該薄型変圧器１及び該ＬＥＤ２のその他の部材の間の設置関係を説明する。
【００３０】
該中空管体５０は、光透過性を有する管体である。該回路板６０は、該中空管体５０内に固定され、且つ該回路板６０は、相対する第１表面６１及び第２表面６２を有する。本実施例において、該ＬＥＤ７０は、該第１表面６１に設置され、該回路板６０に電気接続する。該薄型変圧器１は、該第２表面６２に設置され、該回路板６０に電気接続され、該ＬＥＤ７０の発光に必要な電源を提供する。従って、本実施例において、該回路板６０の第１表面６１は、照射面であり、該回路板６０の第２表面６２は、バックライト面である。図６に示すように、本考案のＬＥＤランプ２内の薄型変圧器１は、比較的薄く、該中空管体５０の比較的小さな内部空間を占用するので、該回路板６０の該中空管体５０内の位置において、比較的高い箇所に相対設置することができ、該ＬＥＤ７０の照射角度を増加し、該ＬＥＤランプ２に比較的大きな照射範囲をもたせる。
【００３１】
図７を参照して説明するが、それは、本考案の薄型変圧器のもう１つの実施例である。本実施例は、第１実施例とほぼ同一であり、薄型変圧器１ａは、ベース１０ａ、鉄芯２０ａ、第１巻線組３０ａ及び第２巻線組４０ａを含む。該ベース１０ａは、相対する上面１０１ａ及び底面１０２ａを有し、且つ該ベース１０ａは、枠板１１ａを含む。該枠板１１ａは、鏤空溝１１０ａ及び該鏤空溝１１０ａ中に凸伸する一対の支持ブラケット１１１ａを有する。本実施例及び第１実施例の異なる箇所は、１対の該支持ブラケット１１１ａの実施形態にあり、本実施例において、該支持ブラケット１１１ａの底面は、該ベース１０ａの底面１０２ａより低い。
【００３２】
図８を参照して説明するが、本考案の薄型変圧器のもう１つの実施形態である。本実施例において、薄型変圧器１ａは、回路板６０ａ上に設置され、且つ該回路板６０ａは、開孔６００ａを設ける。該薄型変圧器１ａは、該開孔６００ａに対応設置され、且つ該支持ブラケット１１１ａは、該開孔６００ａ中に埋め込まれ、該薄型変圧器１ａ及び該回路板６０ａの結合後の全体の高さを低減する。
【００３３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３４】
１，１ａ  薄型変圧器
２  ＬＥＤランプ
１０，１０ａ  ベース
１０１，１０１ａ  上面
１０２，１０２ａ  底面
１０３  (両)側面
１１，１１ａ  枠板
１１０，１１０ａ  鏤空溝
１１１，１１１ａ  支持ブラケット
１１２  囲い板
１１３  出線溝
１２  ガイドピン
１２１  第１ガイドピン
１２２  第２ガイドピン
１３  凸ブロック
１３０  貫通溝
２０，２０ａ  鉄芯
２０１  第１鉄芯
２０２  第２鉄芯
２１  芯柱
２１１  第１芯柱
２１２  第２芯柱
２２  収容溝
２２１  第１収容溝
２２２  第２収容溝
２３  定位溝
３０，３０’，３０ａ  第１巻線組
３１  第１コイル
４０，４０’，４０ａ  第２巻線組
４１  第２コイル
５０  中空管体
６０，６０ａ  回路板
６００ａ  開孔
７０  ＬＥＤ
【図１】
0003184697.tif 000003
【図２】
0003184697.tif 000004
【図３】
0003184697.tif 000005
【図４】
0003184697.tif 000006
【図５】
0003184697.tif 000007
【図６】
0003184697.tif 000008
【図７】
0003184697.tif 000009
【図８】
0003184697.tif 000010